(57)【要約】【課題】簡単な構成で、一般家庭や農業分野において、高効率で、安全且つ経済的な熱源として有用な電磁誘導式発熱装置・熱風発生装置及び発電装置を提供する。【解決手段】永久磁石１ａを回転体１内部に等間隔に配置する。モータ３により回動される回転体１と、回転体１の近傍に配置して設けられると共に、永久磁石１ａによる磁界中に配置された導電材を含む発熱部２と、発熱部２近傍に配置して設けられると共に、複数の熱風流通孔６ａが穿孔された熱風捕捉板６とから構成し、回転体１を、モータ３に連結された回転軸３ｃにより高速回転させる。さらに、発熱部２に熱電対４を接続し、外気中に散逸する熱エネルギーを、再度電気エネルギーに変換する。また、電磁誘導式熱風発生装置には発熱部２近傍に複数の熱風流通孔６ａが穿孔された熱風捕捉板６を配置して構成する。
2009048049.tif 000002
【特許請求の範囲】
【請求項１】
内部に永久磁石が配置され、回転可能に設けられた平盤状回転体と、前記平盤状回転体の近傍に配置して設けられると共に、前記永久磁石による磁界中に配置された導電材を含む発熱部とからなることを特徴とする電磁誘導式発熱装置。
【請求項２】
発熱部に熱電対を接続したことを特徴とする請求項１記載の電磁誘導式発電装置。
【請求項３】
内部に永久磁石が配置され、回転可能に設けられた平盤状回転体と、前記平盤状回転体の近傍に配置して設けられると共に、前記永久磁石による磁界中に配置された導電材を含む発熱部と、該発熱部近傍に配置して設けられると共に、複数の熱風流通孔が穿孔された熱風捕捉板とからなることを特徴とする電磁誘導式熱風発生装置。
【請求項４】
熱風流通孔が螺旋状に配置されていることを特徴とする請求項３記載の電磁誘導式熱風発生装置。
【請求項５】
熱風捕捉板に、熱風流通孔の配置に倣ってガイド板が立設されていることを特徴とする請求項３又は請求項４記載の電磁誘導式熱風発生装置。
【請求項６】
熱風流通孔は、その熱風流入端から流出端に向かって漸次狭小するテーパ状に形成されていることを特徴とする請求項３乃至請求項４のいずれかに記載の電磁誘導式熱風発生装置。
【請求項７】
発熱部に熱電対を接続したことを特徴とする請求項３乃至請求項６のいずれかに記載の電磁誘導式熱風発生装置。
【発明の詳細な説明】
【技術分野】
【０００１】
本発明は、永久磁石を用いて渦電流を発生させて得たジュール熱により熱風を発生させ、とくに、発生した熱風をハウス栽培の加温、家屋の暖房や積雪溶解に使用して好適な熱風発生装置及び発生した熱の一部を再度電力に変換して電源装置として使用する電磁誘導式発熱装置・熱風発生装置及び発電装置に関するものである。
【背景技術】
【０００２】
従来から交流電流により交流磁界を発生させて行う誘導加熱の手法を用いた電磁誘導式加熱装置が種々提案されている。例えば、導電性の被加熱体と交流磁場発生手段から構成される誘導加熱装置において、直流磁場発生手段を永久磁石とし、この直流磁場に交流磁場を作用させることにより、被加熱体を急速に加熱するようにした誘導加熱装置（特許文献１参照）や渦電流が発生可能なロータリーの外周に複数の永久磁石を配置した加熱装置（特許文献２参照）等が提案されている。【０００３】
【特許文献１】特開２００２−３４３５４１号公報
【特許文献２】再公表ＷＯ２００３／０５３１０３号公報
【発明の開示】
【０００４】
しかしながら、上記従来の装置は、複写機におけるトナーの定着や工業用材料の乾燥・加熱に応用したものであり、一般家庭における熱原や農業分野における加温装置としての応用例はほとんど無いのが実情である。本発明は上記のような従来技術の課題に鑑み、簡単な構成で、一般家庭や農業分野において、高効率で、安全且つ経済的な熱源として有用な電磁誘導式発熱装置・熱風発生装置及び発電装置を提供することを目的とするものである。
【０００５】
この目的を達成するため、本発明の発熱装置は、内部に永久磁石が配置され、回転可能に設けられた平盤状回転体と、前記平盤状回転体の近傍に配置して設けられると共に、前記永久磁石による磁界中に配置された導電材を含む発熱部とからなることを第１の特徴とし、発熱部に熱電対を接続したことを第２の特徴とする。また、本発明の電磁誘導式熱風発生装置は、内部に永久磁石が配置され、回転可能に設けられた平盤状回転体と、前記平盤状回転体の近傍に配置して設けられると共に、前記永久磁石による磁界中に配置された導電材を含む発熱部と、該発熱部近傍に配置して設けられると共に、複数の熱風流通孔が穿孔された熱風捕捉板とからなることを第３の特徴とする。さらに、熱風流通孔が螺旋状に配置されていることを第４の特徴とする。さらに、熱風捕捉板に、熱風流通孔の配置に倣ってガイド板が立設されていることを第５の特徴とする。またさらに、熱風流通孔は、その熱風流入端から流出端に向かって漸次狭小するテーパ状に形成されていることを第６の特徴とし、発熱部に熱電対を接続したことを第７の特徴とする。
【図面の簡単な説明】
【０００６】
【図１】本発明に係る電磁誘導式発熱装置の一実施例を示す斜視図である。
【図２】回転体内の永久磁石の配置図である。
【図３】本発明に係る電磁誘導式熱風発生装置の一実施例を示す斜視図である。
【図４】熱風捕捉部の（ａ）は平面断面図、（ｂ）は正面断面図である。
【発明を実施するための最良の形態】
【０００７】
以下、本発明を実施するための最良の形態を図面に示す実施例に基づいて説明するが、本発明が本実施例に限定されないことは言うまでもない。【０００８】
本発明では、金属板等の導電材の近傍に、強力な磁力を有する永久磁石を内部に配置した平盤状ロータを高速回転させることによって、導電材にＮ，Ｓの磁極が交互に横切り、その結果、電磁誘導現象により導電材自体には渦電流が発生し、この渦電流が熱エネルギーに変換されて導電材が発熱する。【０００９】
導電材としては、磁力により渦電流が発生し易い、銅、銀、アルミニウム、ステンレスなどの良導電体の金属を選択するのが好ましい。【００１０】
永久磁石としては、例えば、ネオジウム系磁石、サマリウム系磁石などの表面３０００ガウス以上の永久磁石を使用するのが好ましい。永久磁石の磁力の強さが強いほど導電材は高温に発熱する。永久磁石は導電材の周りを数１００ｒｐｍ以上で回転させる。必要発熱量や用途にあわせて、永久磁石の強さや極数、回転数は決定される。発熱温度調整はロータの回転数の調整により容易に行うことができる。
【実施例１】
【００１１】
図１は本発明に係る電磁誘導式発熱装置の一実施例を示す斜視図、図２は回転体内の永久磁石の配置図である。【００１２】
本発明の加熱装置は、複数の永久磁石１ａが任意の間隔をおいて固定された平盤状回転体１の上方かつ近傍（本実施例では２５ｍｍ）に、発熱部２としてのアルミニウム製のドーナツ型円板が脚立部２aにより立設固定配置されている。【００１３】
永久磁石１ａは回転体１の円周に等間隔に配置する。磁石１ａは、それぞれＮ極とＳ極とが交互に位置するように配置しても良いし、同極同士が隣接するように配置しても良い。配置する個数も任意である。回転体１は、モータ３に連結された回転軸３ｃにより高速回転する。尚、本実施例においてモータ３の電源は商用電源５としたが、太陽光、水力、風力等の自然界のエネルギーを用いて電源とすることが有益なことは言うまでもない。【００１４】
さらに、本装置では、発熱部２に熱電対４を接続することで、外気中に散逸する熱エネルギーを、再度電気エネルギーに変換できるようにされている。この熱電対４から生じる電力は、昇圧手段等を介してモータ３で使用する電力として供給しても良いし、別途電気機器の電源として使用することも勿論可能である。
【実施例２】
【００１５】
図３は本発明に係る電磁誘導式熱風発生装置の一実施例を示す斜視図、図４は、熱風捕捉部の（ａ）は平面断面図、（ｂ）は正面断面図である。【００１６】
図３に示すように、本発明の電磁誘導式熱風発生装置は、複数の永久磁石１ａが任意の間隔をおいて固定された平盤状回転体１の上方かつ近傍に、発熱部２としてのアルミニウム製の円板と、この円板の上方かつ近傍に略同径の熱風捕捉部１０が脚立部２aにより立設固定配置されている。【００１７】
発熱部２と熱風捕捉部１０の熱風捕捉板６には、その周縁から突出して各々４箇所の鍔部２ａ及び６ｂが一体に形成され、この鍔部２ａ及び６ｂに脚立部２aの先端を挿通させてナット締めして固定する。【００１８】
ここで、前記図２に示すように、永久磁石１ａは回転体１の円周に沿って等間隔に配置する。磁石１ａは、それぞれＮ極とＳ極とが交互に位置するように配置しても良いし、同極同士が隣接するように配置しても良い。配置する個数も任意である。回転体１は、モータ３に連結された回転軸３ｃにより高速回転する。尚、本実施例においてモータ３の電源は商用電源５としたが、太陽光、水力、風力等の自然界のエネルギーを用いて電源とすることが有益なことは言うまでもない。【００１９】
熱風捕捉部１０は、発熱部２で発生したジュール熱を捕捉収集する装置であり、図４に示すように、複数の熱風流通孔６ａが穿孔されたアルミ製の熱風捕捉板６の上面に熱風排気筒７ａを有する略円筒状のカバー７で被覆して設けられる。本実施例では、熱風流通孔６ａは螺旋状に穿孔配置され、この配置に倣って帯状のガイド板９が螺旋状に立設される。熱風排気筒７ａにはダクト８を介してブロアー（図示せず）が連結されており、引圧して発熱部２で発生したジュール熱を熱風として捕集するようにされている。【００２０】
ここで、熱風流通孔６ａは、その熱風流入端から流出端に向かって漸次狭小するテーパ状に形成することで、熱風の捕捉効果並びに流入速度を高めるようにされている。尚、熱風流通孔の数、形状及び穿孔位置は任意であり、本実施例に限定されないことは言うまでもない。また、発熱部２と熱風捕捉部１０を同一部材とし、双方の機能を兼ねる構成にしても良い。【００２１】
さらに、本装置の発熱部２においても実施例１と同様に熱電対４を接続することで、外気中に散逸する熱エネルギーを、再度電気エネルギーに変換できるようにされている。この熱電対４から生じる電力は、昇圧手段等を介してモータ３で使用する電力として供給しても良いし、別途電気機器の電源として使用することも勿論可能である。【００２２】
導電材としては、磁力により渦電流が発生し易い、銅、銀、アルミニウム、ステンレスなどの良導電体の金属を選択するのが好ましい。【００２３】
永久磁石としては、例えば、ネオジウム系磁石、サマリウム系磁石などの表面３０００ガウス以上の永久磁石を使用するのが好ましい。永久磁石の磁力の強さが強いほど導電材は高温に発熱する。永久磁石は導電材の周りを数１００ｒｐｍ以上で回転させる。必要発熱量や用途にあわせて、永久磁石の強さや極数、回転数は決定される。発熱温度調整はロータの回転数の調整により容易に行うことができる。【００２４】
熱風捕捉板の材質としては、導電材と同様に、銅、銀、アルミニウム、ステンレスなどの良導電体の金属を選択するのが好ましい。また、熱風流通孔の数及び穿孔位置は任意であるが、螺旋状やインボリュート曲線状に配置するのが望ましい。
【産業上の利用可能性】
【００２５】
本発明の発熱装置及び発電装置は、以下の優れた効果がある。
（１）渦電流により導電材料を発熱させる自己発熱なので、熱効率がよく、また二酸化炭素の発生がなく、エコロジーな熱源である。また、使用する電力はロータを回動のみであり、電力消費量は少なく、ランニングコストを低く抑えることができる。
（２）ロータ内に永久磁石を配置し、導電材料の近傍で回転させるだけの簡単な構造なので、故障しにくく、メンテナンスもし易い。
（３）温度調整は、ロータの回転数の調整だけで済むので、容易である。
（４）導電材料に熱電対を接続したことにより、散逸する熱を再度電力として使用できるので、さらに効率が増大する。
（５）複数の熱風流通孔が穿孔された熱風捕捉板により、発熱部で発生したジュール熱を効率良く捕集できる。【００２６】
本発明装置は、一般家庭におけるコンロや給湯における熱原として使用できることは無論のこと、農業分野での温室ハウス栽培における加温装置として、あるは焼却炉の熱源に使用して実用性が高く極めて有用である。また、家屋の暖房や積雪溶解用の熱原として使用でき実用性が高く極めて有用である。
【図１】
2009048049.tif 000003
【図２】
2009048049.tif 000004
【図３】
2009048049.tif 000005
【図４】
2009048049.tif 000006
【国際調査報告】
2009048049.tif 000007
2009048049.tif 000008
2009048049.tif 000009
2009048049.tif 000010
2009048049.tif 000011
2009048049.tif 000012